(57)【要約】      （修正有）【課題】ソフトな感触を保持しつつ、落下や外からの加圧に対して強く、且つ軽量化を可能とし、更には廃棄する際に燃焼等してもダイオキシンなどの有害物質が発生しない環境に優しい素材を使用した筆記具ケースを提供する。【解決手段】ＴＰＵにより一体に成型され、箱体と、箱体を被覆する蓋体とからなる。【選択図】図１
0003178112.tif 000002
【実用新案登録請求の範囲】
【請求項１】
筆記具を収容する筆記具ケースであって、当該筆箱がTPU素材で一体成型した筆記具ケース。
【請求項２】
筆記具を収容する箱体と、前記箱体を被覆する蓋体とからなることを特徴とする請求項1に記載の筆記具ケース。
【請求項３】
前記箱体および前記蓋体は、その厚みが1.8ミリ乃至2.0ミリで成型されたことを特徴とする請求項2に記載の筆記具ケース。
【考案の詳細な説明】
【技術分野】
【０００１】
本考案は、TPU素材を使用した、ソフトな感触を保持しつつ、軽くて頑丈なペンケースの提案である。
【背景技術】
【０００２】
軽量な発泡樹脂シートで制作された筆記具ケースの発明が開示されている。（例えば特許文献1）
【先行技術文献】
【特許文献】
【０００３】
【特許文献１】特許公開２００２−３２０５１３公報
【考案の概要】
【考案が解決しようとする課題】
【０００４】
特許文献1では、軽量な発泡樹脂シートで制作された筆記具ケースの発明により、手に持った感触もソフトにできると同時に、ケース自体にクッション性を与えることで、筆記具の損傷を抑えることができる筆記具ケースを提案している。
【０００５】
しかしながら、発泡樹脂シートだけでは、筆記具の損傷を完全に防ぐ効果は期待しにくいため、同様のソフトな感触を有しながら、軽量且つ頑強な筆記具ケースが望まれる。
【課題を解決するための手段】
【０００６】
請求項１に係る考案では、筆記具を収容する筆箱であって、当該筆箱がTPU素材で一体成型した筆記具ケース。
【０００７】
また、請求項2に係る考案では、請求項1に記載の筆記具ケースにおいて、筆記具を収容する箱体と、前記箱体を被覆する蓋体とからなることを特徴とする請求項1に記載の筆記具ケース。
【０００８】
更に、請求項3に係る考案では、請求項2に記載の筆記具ケースにおいて、前記箱体および前記蓋体は、その厚みが1.8ミリ乃至2.0ミリで成型されたことを特徴とする筆記具ケースを提供するものである。
【考案の効果】
【０００９】
本考案では、ソフトな感触を保持しつつ、落下や外からの加圧に対して強く、且つ軽量化を可能とした筆記具ケースであり、更には燃焼してもダイオキシンが発生しない環境に優しい素材を使用した筆記具ケースを提案するものである。
【図面の簡単な説明】
【００１０】
【図１】図１は本件筆記具ケース第一実施例の斜視図を示した説明図である。
【図２】図２は本件筆記具ケース第一実施例の蓋体を取り外した状態の斜視図を示した説明図である。
【図３】図３は本件筆記具ケース第一実施例の蓋体と箱体の比較を示す説明図である。
【図４】図４は本件筆記具ケース第一実施例の箱体に設けた凹部の説明図である。
【図５】図５は本件筆記具ケース第一実施例で蓋体に設けた突起部についてＹ−Ｙによる断面図により説明した図である。
【考案を実施するための形態】
【００１１】
本考案における筆記具ケースは、その素材として熱可塑性ポリウレタン、所謂TPUで一体成型により製作されたものである。
TPUはゴムのようなしなやかな弾力性があると同時に、硬質プラスティクスのような強靭さを兼ね備えており、その成型のし易さと同時に、筆記具ケースをうっかり落下させたときにも、鉛筆の芯等中の筆記具を保護する効果がある。
【実施例１】
【００１２】
本考案における第一実施例を説明する。
本考案における第一実施例の筆記具ケース［1］は、図1に示されるように、筆記具を収納するための箱体［10］と前記箱体を上から被せるように覆う蓋体［11］を備えるものである。
前記箱体［10］は、TPUで一体成型により製作されたものである。また、前記蓋体［11］についても、TPUで一体成型により製作されたものである。
【００１３】
本考案における第一実施例の筆記具ケース［1］では、前記箱体［10］および前記蓋体［11］のそれぞれを厚さを1.8ミリ以下で製造した場合、その強度不足があり、中の筆記具が好適に保護できないという不具合が生じ、2.0ミリを超えて製造する場合、全体の硬度が高くなり、弾力性が損なわれ、本考案の目的が達せられなくなる。
【００１４】
そのため、本考案における第一実施例の筆記具ケース［1］の前記箱体［10］および前記蓋体［11］のそれぞれの厚さは、2.0ミリのＴＰＵで製造するものであるが、これに限定するものではなく、1.8ミリ以上、2.0ミリ以下の範囲で成形することにより、本考案の目的が達成されることになる。
【００１５】
前記箱体［10］の長辺方向の外壁間のサイズ（A）と前記蓋体［11］の長辺方向の内壁間のサイズ（a）は、前記蓋体［11］の長辺方向の内壁間のサイズ（a）の方が若干長くなっており、願わくは、0.8ミリほど長いことが望ましい。
また、前記箱体［10］の短辺方向の外壁間のサイズ（B）と内壁間のサイズ（b）と前記蓋体［11］の短辺方向の内壁間のサイズ（b）は、前記蓋体［11］の内壁の方向（b）の方が若干長くなっており、願わくは、0.2ミリほど長いことが望ましい。
【００１６】
このように前記箱体［10］の外壁と前記蓋体［11］の内壁とに一定の隙間を設けることにより、前記蓋体［11］を前記箱体［10］に被せる際にスムースに被せることができると同時に、前記蓋体［11］内壁に渡って突起部［12］を成形し、それに対応する前記箱体［10］の外壁に渡って成形された凹部［13］とが係止することで前記蓋体が［11］容易に前記箱体［10］から抜けないことになる。
なお、前記蓋体［11］を前記箱体［10］から取り外す際には、筆記具ケース［1］を軽く押し広げるなど力を加えることで、筆記具ケース［1］の有する弾力性により全体が変形し、上記係止状態が外れ、容易に前記箱体［10］から前記蓋体［11］が取り外せる構成となっている。
【００１７】
前記突起部［12］は、少なくとも前記蓋体［11］長辺方向の内壁間で対向する２箇所に、長辺方向に渡って成形され、前記凹部［13］は、前記箱体［10］の長辺方向の外壁間で対向する２箇所に、前記突起部［12］に対応する位置に長辺方向に渡って成形されるようにしても良い。
【実施例２】
【００１８】
次に、本考案における他の実施例を説明する。
【００１９】
本実施例1では、蓋体と箱体を分離可能を被せる筆記具ケースとしているが、蓋体と箱体の両長辺方向の一端部を連結し、当該連結部を中心として回動可能にして、蓋体に箱体を被せる仕様としても良い。また、TPUという柔軟性を利用して袋状に一体成型して、その開放部をファスナーや面ファスナー等何らかの係止手段でふさぐ方法としても良く、TPUを使用する筆記具ケースであれば当業者が想定可能な形態、仕様が可能である。
【符号の説明】
【００２０】
１      第一実施例の筆記具ケース＜BR＞
10 第一実施例の箱体
11 第一実施例の蓋体
12 第一実施例の蓋体に設けた突設部
13 第一実施例の箱体に設けた凹部
A      第一実施例の箱体外壁の長辺方向の長さ
a      第一実施例の蓋体内壁の長辺方向の長さ
B      第一実施例の箱体外壁の短辺方向の長さ
B      第一実施例の蓋体内壁の短辺方向の長さ
【図１】
0003178112.tif 000003
【図２】
0003178112.tif 000004
【図３】
0003178112.tif 000005
【図４】
0003178112.tif 000006
【図５】
0003178112.tif 000007